(57)【要約】【課題】  フォーカス操作の操作性を向上することを課題とする。【解決手段】  撮像光学系を通過した対象物光を受光して画像を撮像する撮像手段と、前記撮像された画像に対して、ゲインと周波数帯域を調整して前記撮像光学系の合焦状態を強調する信号処理を行うフィルタ手段と、前記フィルタ手段の周波数特性を変更する変更手段とを備えたことを特徴とする画像処理装置を提供する。【選択図】        図３
2006345304.tif 000002
【特許請求の範囲】
【請求項１】
撮像光学系を通過した対象物光を受光して画像を撮像する撮像手段と、
前記撮像された画像に対して、ゲインと周波数帯域を調整して前記撮像光学系の合焦状態を強調する信号処理を行うフィルタ手段と、
前記フィルタ手段の周波数特性を変更する変更手段とを備えたことを特徴とする画像処理装置。
【請求項２】
撮像光学系のフォーカスの調節を指示するための操作手段と、
前記撮像光学系を通過した対象物光を受光して画像を撮像する撮像手段と、
前記撮像された画像に対して周波数帯域を調整する信号処理を行うフィルタ手段と、
前記操作手段からの入力を基にしたフォーカスの調整動作の動作量を検出する動作量検出手段と、
前記動作量に応じて前記フィルタ手段の周波数特性を変更する変更手段と備えたことを特徴とする画像処理装置。
【請求項３】
撮像光学系のフォーカスの調節を指示するための操作手段と、
前記撮像光学系を通過した対象物光を受光して画像を撮像する撮像手段と、
前記撮像された画像に対して周波数帯域を調整する信号処理を行うフィルタ手段と、
前記操作手段によるフォーカスの調整動作を検出する動作検出手段と、
所定時間以上、前記フォーカスの調整動作がないときには、前記フィルタ手段の信号処理を禁止する制御手段とを備えたことを特徴とする画像処理装置。
【請求項４】
撮像光学系のフォーカスを自動で調節するオートフォーカス機能を備えた画像処理装置であって、
前記撮像光学系を通過した対象物光を受光して画像を撮像する撮像手段と、
前記撮像された画像に対して周波数帯域を調整する信号処理を行うフィルタ手段と、
前記オートフォーカス機能により生成される前記撮像光学系の合焦状態を示す情報に応じて、前記フィルタ手段の周波数特性を変更する変更手段とを更に備えたことを特徴とする画像処理装置。
【請求項５】
前記フィルタ手段により信号処理された画像を表示する表示手段を更に有することを特徴とする請求項１乃至４のいずれか１項に記載の画像処理装置。
【請求項６】
前記変更手段は、前記フィルタ手段による処理を行うか否かを選択する選択手段を更に備えたことを特徴とする請求項１乃至５のいずれか１項に記載の画像処理装置。
【請求項７】
撮像光学系のフォーカスが調節された対象物光を受光して複数の画像を撮像する撮像手段と、
前記撮像されたそれぞれの画像に対して、前記フォーカスの合焦状態に応じた所定の周波数帯域を強調する信号処理を行うフィルタ手段と、
前記フィルタ手段により異なる周波数帯域を強調する信号処理が施された画像を順次表示する表示手段とを備えたことを特徴とする画像処理装置。
【請求項８】
前記フィルタ手段は、前記撮像された画像に対してゲインと周波数帯域を調整する信号処理を行うＦＩＲディジタルフィルタであることを特徴とする請求項１又は２に記載の画像処理装置。
【請求項９】
前記ＦＩＲディジタルフィルタは、少なくとも３つのタップのタップ係数が−α、ｎ＋２α、−αの係数値の関係になることを特徴とする請求項８に記載の画像処理装置。
【請求項１０】
前記フィルタ手段は、少なくとも輝度信号、色差信号、赤信号、緑信号又は青信号のいずれかの信号に対して信号処理を行うことを特徴とする請求項１乃至９のいずれか１項に記載の画像処理装置。
【請求項１１】
フォーカスの調節を、前記操作手段からの入力を基に行うマニュアルフォーカスモードであるか否かを検出するマニュアルフォーカス検出手段を有し、
前記表示手段は、前記検出手段による検出結果がマニュアルフォーカスモードである場合には、白黒表示にすることを特徴とする請求項１乃至１０のいずれか１項に記載の画像処理装置。
【請求項１２】
前記操作手段によるフォーカスの調整動作を検出する動作検出手段を有し、
前記表示手段は、所定時間以上、前記フォーカスの調整動作がないときには、白黒表示をカラー表示にすることを特徴とする請求項１乃至１１のいずれか１項に記載の画像処理装置。
【請求項１３】
前記撮像手段により撮像された画像を記録手段に記録するように制御する記録制御手段を更に有することを特徴とする請求項１乃至１２のいずれか１項に記載の画像処理装置。
【請求項１４】
撮像光学系を通過した対象物光を受光して画像を撮像する撮像手段を有する画像処理装置の画像処理方法であって、
前記撮像された画像に対して、ゲインと周波数帯域を調整して前記撮像光学系の合焦状態を強調する信号処理を行うフィルタステップと、
前記フィルタステップの周波数特性を変更する変更ステップとを有することを特徴とする画像処理方法。
【請求項１５】
撮像光学系のフォーカスの調節を指示するための操作手段と、前記撮像光学系を通過した対象物光を受光して画像を撮像する撮像手段とを有する画像処理装置の画像処理方法であって、
前記撮像された画像に対して周波数帯域を調整する信号処理を行うフィルタステップと、
前記操作手段からの入力を基にしたフォーカスの調整動作の動作量を検出する動作量検出ステップと、
前記動作量に応じて、前記フィルタステップの周波数特性を変更する変更ステップと備えたことを特徴とする画像処理方法。
【請求項１６】
撮像光学系のフォーカスの調節を指示するための操作手段と、前記撮像光学系を通過した対象物光を受光して画像を撮像する撮像手段とを有する画像処理装置の画像処理方法であって、
前記撮像された画像に対して周波数帯域を調整する信号処理を行うフィルタステップと、
前記操作手段によるフォーカスの調整動作を検出する動作検出ステップとを備え、
所定時間以上、前記フォーカスの調整動作がないときには、前記フィルタステップの信号処理を禁止することを特徴とする画像処理方法。
【請求項１７】
撮像光学系のフォーカスを自動で調節するオートフォーカス機能を備えた画像処理装置の画像処理方法であって、
前記撮像光学系を通過した対象物光を受光して撮像された画像に対して周波数帯域を調整する信号処理を行うフィルタステップと、
前記オートフォーカス機能により生成される前記撮像光学系の合焦状態を示す情報に応じて、前記フィルタステップの周波数特性を変更する変更ステップとを備えたことを特徴とする画像処理方法。
【請求項１８】
撮像光学系を通過した対象物光を受光して画像を撮像する撮像手段とを有する画像処理装置の画像処理方法であって、
前記撮像されたそれぞれの画像に対して、前記フォーカスの調整状態に応じた所定の周波数帯域を強調する信号処理を行うフィルタステップと、
前記フィルタステップにより異なる周波数帯域を強調する信号処理が施された画像を順次表示する表示ステップとを備えたことを特徴とする画像処理方法。
【発明の詳細な説明】
【技術分野】
【０００１】
本発明は、焦点調節機能を備えた画像処理装置及び方法に関する。
【背景技術】
【０００２】
従来から、放送局のテレビカメラでの被写体に対するピント合わせは、ほぼカメラマンにより手動で焦点調節が行われるマニュアルフォーカス（Manual Focus  以下、ＭＦ）操作で行われている。また、民生用のデジタルビデオカメラ（以下、DVC（Digital Video Camcorder））等でも、一部モデルにおいては自動で焦点調節を行うオートフォーカス（Auto Focus  以下、ＡＦ）だけでなく、ＭＦにも切り替えることが可能なものがある。ここで一般的に、民生用のものでは特にＥＶＦ（Electrical View Finder）や液晶パネルのサイズも小さく、視認性が高いとは言い難く適正な焦点調節が難しかった。
【０００３】
また、昨今、ハイビジョンフォーマットの民生用デジタルビデオカメラも市場に登場し始めたが、ハイビジョン撮影映像（以下、ＨＤ映像）を大画面で見た場合、従来のＳＤ映像（NTSCやPALなど）の場合以上に、ピントのボケは判ってしまうため、より精度の高い焦点調節を実現できる画像処理装置が求められている。そこで従来より、業務用モデルでも民生用モデルでもＥＶＦでのフォーカス確認の視認性を上げるために、「輪郭補正、ピーキング、エンハンサ」などと称される、撮影映像から輪郭信号を抽出し、元映像に付加する形で、輪郭を強調する処理を行い、マニュアルフォーカス時のピント合わせの補助としている技術がある。
【０００４】
また、与えられた画像データから空間周波数の高域成分を抽出し、微分画像データを生成し、該微分画像データの高域成分を示す画素値に応じて、所定の色を割り当ててカラー化された微分画像信号を生成し、カラー化された微分画像データを表示することにより、色の違いからピント状態を知らせる合焦状態表示装置が提案されている。（例えば、文献１）
【０００５】
【特許文献１】特開2002-196225号公報
【発明の開示】
【発明が解決しようとする課題】
【０００６】
しかしながら、上述の合焦状態表示装置では、表示装置の見え方は、それぞれの映像機器でのＥＶＦの表示サイズや画素数などを始めとした特性や、撮影被写体によっても異なるため、合焦状態が分かりにくく、より精度の良い焦点調節を必要とする操作者に、煩わしさを感じさせる場合があった。
【０００７】
本発明の目的は、画像の合焦状態を適正に表示させることにより、操作者の操作性を向上させることである。
【課題を解決するための手段】
【０００８】
本発明の画像処理装置は、撮像光学系を通過した対象物光を受光して画像を撮像する撮像手段と、前記撮像された画像に対して、ゲインと周波数帯域を調整して前記撮像光学系の合焦状態を強調する信号処理を行うフィルタ手段と、前記フィルタ手段の周波数特性を変更する変更手段とを備えたことを特徴とする。
本発明の画像処理装置は、撮像光学系のフォーカスの調節を指示するための操作手段と、前記撮像光学系を通過した対象物光を受光して画像を撮像する撮像手段と、前記撮像された画像に対して周波数帯域を調整する信号処理を行うフィルタ手段と、前記操作手段からの入力を基にしたフォーカスの調整動作の動作量を検出する動作量検出手段と、前記動作量に応じて前記フィルタ手段の周波数特性を変更する変更手段と備えたことを特徴とする。
本発明の画像処理装置は、撮像光学系のフォーカスの調節を指示するための操作手段と、前記撮像光学系を通過した対象物光を受光して画像を撮像する撮像手段と、前記撮像された画像に対して周波数帯域を調整する信号処理を行うフィルタ手段と、前記操作手段によるフォーカスの調整動作を検出する動作検出手段と、所定時間以上、前記フォーカスの調整動作がないときには、前記フィルタ手段の信号処理を禁止する制御手段とを備えたことを特徴とする。
本発明の画像処理装置は、撮像光学系のフォーカスを自動で調節するオートフォーカス機能を備えた画像処理装置であって、前記撮像光学系を通過した対象物光を受光して画像を撮像する撮像手段と、前記撮像された画像に対して周波数帯域を調整する信号処理を行うフィルタ手段と、前記オートフォーカス機能により生成される前記撮像光学系の合焦状態を示す情報に応じて、前記フィルタ手段の周波数特性を変更する変更手段とを更に備えたことを特徴とする。
本発明の画像処理装置は、撮像光学系のフォーカスが調節された対象物光を受光して複数の画像を撮像する撮像手段と、前記撮像されたそれぞれの画像に対して、前記フォーカスの合焦状態に応じた所定の周波数帯域を強調する信号処理を行うフィルタ手段と、前記フィルタ手段により異なる周波数帯域を強調する信号処理が施された画像を順次表示する表示手段とを備えたことを特徴とする。
本発明の画像処理方法は、撮像光学系を通過した対象物光を受光して画像を撮像する撮像手段を有する画像処理装置の画像処理方法であって、前記撮像された画像に対して、ゲインと周波数帯域を調整して前記撮像光学系の合焦状態を強調する信号処理を行うフィルタステップと、前記フィルタステップの周波数特性を変更する変更ステップとを有することを特徴とする。
本発明の画像処理方法は、撮像光学系のフォーカスの調節を指示するための操作手段と、前記撮像光学系を通過した対象物光を受光して画像を撮像する撮像手段とを有する画像処理装置の画像処理方法であって、前記撮像された画像に対して周波数帯域を調整する信号処理を行うフィルタステップと、前記操作手段からの入力を基にしたフォーカスの調整動作の動作量を検出する動作量検出ステップと、前記動作量に応じて、前記フィルタステップの周波数特性を変更する変更ステップと備えたことを特徴とする。
本発明の画像処理方法は、撮像光学系のフォーカスの調節を指示するための操作手段と、前記撮像光学系を通過した対象物光を受光して画像を撮像する撮像手段とを有する画像処理装置の画像処理方法であって、前記撮像された画像に対して周波数帯域を調整する信号処理を行うフィルタステップと、前記操作手段によるフォーカスの調整動作を検出する動作検出ステップとを備え、所定時間以上、前記フォーカスの調整動作がないときには、前記フィルタステップの信号処理を禁止することを特徴とする。
本発明の画像処理方法は、撮像光学系のフォーカスを自動で調節するオートフォーカス機能を備えた画像処理装置の画像処理方法であって、前記撮像光学系を通過した対象物光を受光して撮像された画像に対して周波数帯域を調整する信号処理を行うフィルタステップと、前記オートフォーカス機能により生成される前記撮像光学系の合焦状態を示す情報に応じて、前記フィルタステップの周波数特性を変更する変更ステップとを備えたことを特徴とする。
本発明の画像処理方法は、撮像光学系を通過した対象物光を受光して画像を撮像する撮像手段とを有する画像処理装置の画像処理方法であって、前記撮像されたそれぞれの画像に対して、前記フォーカスの調整状態に応じた所定の周波数帯域を強調する信号処理を行うフィルタステップと、前記フィルタステップにより異なる周波数帯域を強調する信号処理が施された画像を順次表示する表示ステップとを備えたことを特徴とする。
【発明の効果】
【０００９】
本発明によれば、フォーカス確認の視認性を上げることができる。
【発明を実施するための最良の形態】
【００１０】
以下、必要に応じて図面を参照しながら本発明の好適な実施の形態を説明する。
（第１の実施形態）
以下に本発明の第１の実施形態による画像記録（処理）装置について図面を参照しながら説明する。本実施形態における説明に対応する請求項は１つとは限らない。また、この説明をもってそれぞれの請求項の構成要素を制限するものではない。
【００１１】
図２に、本発明の第１の実施形態に係る画像記録装置としてデジタルビデオカメラの概略ブロック図を、図３に本デジタルビデオカメラの外見図を、図１にＦＩＲデジタル水平フィルタ部(Finite Impulse Response Filter)の回路例を、図４に本実施形態を実現するための制御手順（フローチャート）を示す。
【００１２】
まず、図２を参照しながら、デジタルビデオカメラの構成例を説明する。
２０１はビデオカメラのレンズ部（光学系）で、不図示の被写体を撮像するためのズーム機能、フォーカス調整機能付きレンズ群及びレンズ機構である。
【００１３】
２０２はＣＣＤ（Charge Coupled Device）で、レンズ部２０１で構成される光学系より入ってくる像を撮像する撮像素子である。
【００１４】
２０３は撮像素子駆動部で、カメラ信号処理部２０６からのタイミング信号に従ってＣＣＤ２０２を駆動する。
【００１５】
２０４はＣＤＳ（Correlated Double Sampling）、ＡＧＣ（Auto Gain Controller）部で、ＣＣＤ２０２からのアナログ信号をサンプリングすると共に、システム制御部２０９からの制御により、信号レベルのゲインコントロールを行う。
【００１６】
２０５はＡ／Ｄ（Analog to Digital）変換器で、前段からのアナログ信号をデジタル信号に変換する。
【００１７】
２０６はカメラ信号処理部で、タイミング生成や、ＡＥ（Auto Exposure）制御、ＡＦ（Auto Focus）制御など、システム制御部２０９と連携して、カメラ撮像系の制御を担う。
【００１８】
２０７はレンズ駆動部で、レンズ部２０１を駆動して、ズーム倍率やピント調整を行う。オートフォーカス時には、カメラ信号処理部２０６はフォーカス調整情報を検出し、システム制御部２０９はその検出された情報に基づき制御信号をレンズ駆動部２０７に出力する。レンズ駆動部２０７は、その制御信号に基にレンズ部２０１を駆動制御してピント調整を行う。マニュアルフォーカス時には、入力操作部２１４に属する、一般的にはレンズの外周に設けられた図３のフォーカスリング３０７を操作者が調整し、電子的な機構ではシステム制御部２０９がフォーカスリング３０７の回転方向と回転量を検出する。システム制御部２０９は、その検出情報に応じてレンズ駆動部２０７を駆動して、レンズ部２０１を制御してピント調整を行う。機械的な機構では、フォーカスリング３０７が機械的にレンズ部２０１と繋がっており、フォーカスリング３０７を操作者が回すことで、機械的にレンズ部２０１が動かされピント調整が行われる。
【００１９】
カメラ撮像系は、マニュアルフォーカスモード（機能）及びオートフォーカスモード（機能）を有し、映像（画像）を撮像することができる。マニュアルフォーカスモード及びオートフォーカスモードの切り替えは、切り替えスイッチ又はメニュー設定により行うことができる。
【００２０】
２０８はマイクで、撮像系を経て入ってきた映像と合わせて周囲の音を記録するために集音する。
【００２１】
２０９は本実施形態の各制御手順を実行するためのシステム制御部で、後述する図４で示すフローチャートのような各種制御手順を実行する。
【００２２】
２１０はメモリ制御部で汎用記憶部２１１へのアクセスを制御する。
２１１は汎用記憶部（メモリ）で、映像信号処理のバッファであると共に、本実施形態の各種制御手段を実現するためのプログラム及びデータ等を格納し、制御実行のために必要に応じて作業領域としても使用するＲＯＭやＲＡＭを総称している。
【００２３】
２１２は外部記録媒体接続インタフェースで、ここでは、メモリカードのスロットとする。
【００２４】
２１３は外部記憶媒体で、ここではメモリカードとする。通常、このメモリカード２１３に対して、静止画撮影時にはｊｐｅｇファイルを保存する。
【００２５】
２１４は入力操作部で、撮影スタート・ストップボタンや、選択ボタンや決定ボタン、静止画撮影用のシャッターボタン、マニュアルフォーカスリングなどを備えている。
【００２６】
２１５は計時部で、リアルタイムクロック（ＲＴＣ）とバックアップ電池を備え、日時をカウントしており、システム制御部２０９からの要求に応じて、日時情報を返信する。
【００２７】
２１６はビデオ制御部で、本実施形態の図１の水平フィルタ機能部を含み、第１の表示部２１８、第２の表示部２１９、ライン出力部２２０への出力制御及び、テープ記録／再生部２１７の制御を行う。
【００２８】
２１７はテープ記録／再生部で、ビデオ制御部２１６によりＳＤモードではＤＶフォーマット、ＨＤモードではＨＤＶフォーマット等のテープ記録フォーマットでエンコードされた映像信号をテープに記録又はテープから再生する。
【００２９】
２１８は第１の表示部で、ＥＶＦ（Electrical View Finder）であり、テープ記録／再生部２１７で記録する際には撮像系からの入力映像を表示し、再生する際には、テープに記録されている映像を表示する。また、第１の表示部２１８は、入力操作部２１４からの操作者による入力操作情報や、外部記録媒体内の任意の画像情報などを表示する。
【００３０】
２１９は第２の表示部で、液晶表示パネルであり、テープ記録／再生部２１７で記録する際には撮像系からの入力映像を表示し、再生する際には、テープに記録されている映像を表示する。また、第２の表示部２１９は、入力操作部２１４からの操作者による入力操作情報や、外部記録媒体内の任意の画像情報などを表示する。
【００３１】
１２０はライン出力部で、アナログコンポーネント映像出力や、Ｓ端子出力、コンポジット映像出力などのインタフェースであり、外部ＴＶモニタ等に接続して、本デジタルビデオカメラからの映像出力をＴＶ画面に表示する。
【００３２】
次に、図３を参照しながら、デジタルビデオカメラの外観を説明する。
３０１は本体で、レンズ光学系３０６や、記録再生用のテープカセットを装脱着可能とした不図示の映像記録／再生部や、ＥＶＦ（Electrical View Finder）３０２、各種機能スイッチ３０３、３０４、３０５、３１０、３１１などを備える。液晶表示パネル３０８は回動ヒンジ３０９により本体３０１に取り付けられている。電源のバッテリーは、本体に内蔵されているものとする。
【００３３】
３０２はＥＶＦ（Electrical View Finder）で、液晶表示パネル３０８を使用しないときに、液晶表示パネル３０８を用いた場合と同様の内容を表示する。
【００３４】
３０３は視度調整スライダで、ＥＶＦ３０２を覗いた時に操作者の見易いように接眼レンズを前後して、ＥＶＦの焦点距離を調整するためのものである。
【００３５】
３０４はスタート／ストップボタンで、ボタンの外周はモードダイヤルとなっており、ＯＦＦ、カメラ撮影モード、テープ再生モードなど、カメラの動作モードを回転させることで切り替えられる。通常の使用では、モードダイヤルを回転させてカメラモードにした後に、スタート／ストップボタンを１度押すと撮影開始、再び押すと撮影スタンバイ、また再び押せば、再び撮影開始といったように、トグル動作する。
【００３６】
３０５はズームスイッチで、前後に押すことで、画角を望遠側に調整したりワイド側に調整したりすることが可能である。
【００３７】
３０６はレンズ光学系で、ズーム調整やピント調整を行い、被写体からの映像を本体３０１内部のＣＣＤ（Charge-Coupled Device  不図示）に結像させる。
【００３８】
３０７はマニュアルフォーカスリングである。切り替えスイッチ（不図示）によりマニュアルフォーカスモードに切り替えると、本リング３０７を円周方向に回すことで、ピント調整を操作者がマニュアルで行える。
【００３９】
３０８は液晶表示パネルで、レンズ光学系３０６より入力される映像を表示したり、不図示のテープへの映像記録／再生部から再生される映像などを表示したり、３０４、３０５、３１０、３１１などの各種機能スイッチによる制御に関する表示を行う。また、液晶表示パネル３０８は、ヒンジ３０９により、本体３０１に対して多方向に回動可能な構造となっている。
【００４０】
３０９はヒンジで、液晶表示パネル３０８と本体３０１とをつなぎ、図３中のＸ軸及び直行するＹ軸をそれぞれ回転軸として、液晶表示パネル３０８は回動することが可能である。例えば撮影者が本体３０１を高い位置に持ち上げての撮影では、表示画面を下方向に、低い位置に保持しての撮影では表示画面を上向きにするなどして、撮影者（不図示）が見やすい角度に液晶表示パネル３０８を調整可能である。また、機能的には回動ヒンジ３０９により液晶表示パネル３０８を動かしても、本体３０１内部と液晶表示パネル３０８を接続する電気信号配線（不図示）は、絡んだり引っ張られたりすることのない構造となっている。
【００４１】
３１０はシャッターボタンで、撮影スタンバイ状態で押すと静止画をテープ上に数秒間、動画と同じ扱いで記録する場合や、動画撮影中には外部記録媒体２１３であるメモリカード（不図示）などにｊｐｅｇファイルとして記録する場合が多い。
【００４２】
３１１は操作ボタンで、各種モード設定や、テープ再生モードのときの再生ボタンなどに使われることが多い。
【００４３】
３１２はＩＥＥＥ１３９４インタフェースで、デジタルビデオカメラ同士や、外部コンピュータなどの編集機器とケーブル接続し、映像情報や各種制御情報をやり取りすることのできるデジタルインタフェースである。
【００４４】
図１は、図２、図３に示すデジタルビデオカメラにおいて用いられる、本実施形態の特徴であるＦＩＲ（Finite Impulse Response）型水平フィルタ回路例を示す。なお、線形位相フィルタであるFIRフィルタ(Finite Impulse Response Filter)とは、インパルスを入力したときの出力信号が有限時間で0に収束するフィルタの総称である。FIRフィルタは、設計法が線形であるのでハードウェアで効率的に実現できる。
【００４５】
図１の水平フィルタ回路は、ビデオ制御部２１６内に構成されているものとする。また、ここでは、水平フィルタを効かせる信号として、輝度信号にのみ効かせた場合を想定している。無論、輝度信号だけでなく同時に、色差信号にも同様の構成を適用しても良いし、逆に色差信号にのみ適用することを考えると、様々なシステム構成や、撮影シーン、操作者の嗜好などに合わせたシステムを構成することが可能である。
【００４６】
水平フィルタ回路は、輝度信号、色差信号、又は赤（Ｒ）信号／緑（Ｇ）信号／青（Ｂ）信号に対して独立してフィルタリングを行うことができる。
【００４７】
１０１は入力映像信号で、テープ記録／再生部２１７へ出力されるのではなく、第１の表示部（ＥＶＦ）２１８、第２の表示部（液晶表示パネル）２１９へ出力される信号である。ここでは便宜上、第１の表示部（ＥＶＦ）２１８、第２の表示部（液晶表示パネル）２１９へ行く信号を同一信号として説明するが、水平フィルタ回路を独立して持ち、それぞれの表示系に合わせて独立して制御可能なように構成することもできる。
【００４８】
表示部２１８及び２１９は、水平フィルタ回路によりフィルタリングされた映像を表示する。複数の水平フィルタ回路が設けられる場合、複数の水平フィルタ回路は独立に制御される。複数の表示部２１８及び２１９は、複数の水平フィルタ回路により独立にフィルタリングされた映像信号を表示することができる。
【００４９】
１０２はＤ−ＦＦ（Delay type Flip Flop）で、映像信号のピクセルクロックにより、入力映像信号１０１をラッチし、次段のＤ−ＦＦ１０３へ渡す。結果として、Ｄ−ＦＦ１０２の出力信号は、入力信号に対して、ピクセルクロック１クロック分遅延することになる。ここでのピクセルクロックは、入力映像信号をＳＤ映像（ＮＴＳＣ又はＰＡＬ）と想定し、１３.５ＭＨｚとする。
【００５０】
１０３〜１０９は１０２と同様に、Ｄ−ＦＦであり、前段からのデータを映像信号のピクセルクロックによりラッチして、ＦＩＲ型水平フィルタを構成するために、映像信号のデータを遅延させていく仕組みである。ここでは、Ｙ（−４）からＹ（４）の９タップの内、強調する周波数によって組み合わせる３タップを選択する構成を考えるものとする。具体的には、センタータップＹ（０）は共通で、前後のタップの組み合わせを変えて、
Ｙ（−１）、Ｙ（０）、Ｙ（１）
Ｙ（−２）、Ｙ（０）、Ｙ（２）
Ｙ（−３）、Ｙ（０）、Ｙ（３）
Ｙ（−４）、Ｙ（０）、Ｙ（４）
と言うような組み合わせを考える。
【００５１】
また、それぞれの組み合わせにおいて選択されていないタップ部分の係数は、実質的にそのタップ係数を零にしたことと等価である。
上記のようにタップ係数の組み合わせを制御することで、強調周波数帯域を可変としている。
【００５２】
強調周波数帯域を可変にするために組み合わせる３つのタップ係数の内訳をここでは、以下のようにする。
センタータップのタップ係数：  ｎ+２α  （ｎは自然数）
前後のタップのタップ係数：  −α
【００５３】
ＤＣゲインは、以下の通りである。
（ｎ+２α−α−α）×（１／ｎ）＝１
【００５４】
１１０はゲイン調整信号で、システム制御部２０９により制御され、本水平フィルタでの強調周波数帯域のレベル調整を行うものである。ここでは、ゲイン調整信号１１０は４ビットの信号として、強調するゲインレベルを１６段階に切り替えられる構成とする。
α＝１５：ゲイン最大〜α＝０：ＯＦＦ（ゲイン最小）
ここで、α＝０は図１には図示していないが、便宜上水平フィルタをスルーする事とする。
【００５５】
１１１は周波数調整信号で、システム制御部２０９から制御され、本水平フィルタで強調する周波数の中心周波数の調整を行うものである。ここでは、周波数調整信号１１１は２ビットの信号として、強調する中心周波数ポイントを４種類切り替えられる構成とする。
【００５６】
１１２は信号セレクタで、周波数調整信号１１１により制御されて、本水平フィルタが効く中心周波数を切り替える。ここでの輝度信号への水平フィルタによる強調中心周波数ポイント設定は以下のようになる。
【００５７】
サンプリング周波数：１３.５ＭＨｚ
周波数調整信号：強調中心周波数（ｆｃ）
００：ｆｃ＝ｆ＝６.７５ＭＨｚ
（センタータップ及びセンタータップと隣り合う前後のタップ使用）
０１：ｆｃ＝ｆ／２＝６.７５／４＝３.３７５ＭＨｚ
（センタータップ及びセンタータップから前後に１つ飛ばしたタップ使用）
１０：ｆｃ＝ｆ／３＝６.７５／４＝２.２５ＭＨｚ
（センタータップ及びセンタータップから前後に２つ飛ばしたタップ使用）
１１：ｆｃ＝ｆ／４＝６.７５／４＝１.６８７５ＭＨｚ
（センタータップ及びセンタータップから前後に３つ飛ばしたタップ使用）
【００５８】
１１３は水平フィルタ選択信号で、システム制御部２０９により制御され、本水平フィルタによる任意の周波数特性を持ったゲイン調整機能を通った映像信号（輝度信号）を出力するか、単にタップ（図１中、Ｙ（０））からの映像信号（輝度信号）を出力するかを選択する。
【００５９】
１１４は信号セレクタで、水平フィルタ選択信号１１３に応じて、入力映像信号１０１に水平フィルタをかけた映像信号（輝度信号）、又は、単に、本水平フィルタ回路で周波数特性に影響を受けずに通過するだけの映像信号（輝度信号）を選択する。
１１５は出力映像信号で、信号セレクタ１１４により選択された出力信号である。
【００６０】
水平フィルタ回路は、撮像された映像信号１０１の水平方向に対してフィルタリングを行う。ゲイン調整信号１１０は、水平フィルタ回路のゲイン特性を制御することができる。周波数調整信号１１１は、水平フィルタ回路の周波数特性を制御することができる。水平フィルタ選択信号１１３は、水平フィルタの機能の有効又は無効を選択する信号セレクタ（選択手段）１１４を制御することができる。
【００６１】
図４に示す制御手順の例に従い、本実施形態の映像記録再生装置の制御手法を実現する。以下、図４を参照しながら、制御手順を説明する。
【００６２】
ステップＳ４０１のスタートで、スタート／ストップボタン３０４の外周のモードダイヤルにおいて、「ＯＦＦ」→「カメラ撮影モード」とされ、撮影スタンバイ状態になったものとする。
【００６３】
ステップＳ４０２では、システム制御部２０９は、先のモードダイヤルが「カメラ撮影モード」→「ＯＦＦ」など、「カメラ撮影モード」以外に変更されたかどうかを判断する。変更された場合には、ステップＳ４１１へ進み、ここでの制御モードは終了する。そのままであれば、ステップＳ４０３に進む。
【００６４】
ステップＳ４０３では、システム制御部２０９は、スタート・ストップボタン３０４が押されたかどうかを検出する。もし、操作者によりスタート・ストップボタン３０４が押され、システム制御部２０９が撮影開始を検出した場合にはステップＳ４０４に進む。そうでない場合には、ステップＳ４０２に進み、制御を続ける。
【００６５】
ステップＳ４０４では、システム制御部２０９は、マニュアルフォーカスモードであるかどうかを判断する。マニュアルフォーカスモードでない場合は、ステップＳ４０５に進み、オートフォーカスモードでの撮影を行う。マニュアルフォーカスモードである場合、ステップＳ４０８に進み、マニュアルフォーカスモードでの撮影となる。オートフォーカスモードでの撮影途中でも、別途、マニュアルフォーカスモードへの切り替えが行われた場合には、ステップＳ４０８へ進み、マニュアルフォーカスモードでの撮影を行うものとする。なお、オートフォーカスモードとマニュアルフォーカスモードの切り替え設定は、物理的なスイッチ（不図示）やメニュー設定により行えるものとする。
【００６６】
ステップＳ４０５では、オートフォーカスモードでの撮影が行われ、ステップＳ４０６へ進む。
【００６７】
ステップＳ４０６では、システム制御部２０９は、先のモードダイヤルが「カメラ撮影モード」→「ＯＦＦ」など、「カメラ撮影モード」以外に変更されたかどうかを判断する。変更された場合には、ステップＳ４１１へ進み、ここでの制御モードは終了する。そのままであれば、ステップＳ４０７に進む。
【００６８】
ステップＳ４０７では、システム制御部２０９は、スタート・ストップボタン３０４が押されたかどうかを検出する。もし、操作者によりスタート・ストップボタンが押され、撮影中断を検出した場合にはステップＳ４０３に進む。そうでない場合には、ステップＳ４０４に進み、制御を続ける。
【００６９】
ステップＳ４０８では、マニュアルフォーカスモードでの撮影が行われ、ステップＳ４０９へ進む。
【００７０】
ステップＳ４０９では、システム制御部２０９は、先のモードダイヤルが「カメラ撮影モード」→「ＯＦＦ」など、「カメラ撮影モード」以外に変更されたかどうかを判断する。変更された場合には、ステップＳ４１１へ進み、ここでの制御モードは終了する。そのままであれば、ステップＳ４１０に進む。
【００７１】
ステップＳ４１０では、システム制御部２０９は、スタート・ストップボタン３０４が押されたかどうかを検出する。もし、操作者によりスタート・ストップボタン３０４が押され、撮影中断を検出した場合にはステップＳ４０３に進む。そうでない場合には、ステップＳ４０４に進み、制御を続ける。
ステップＳ４１１では、ここでの制御モードを終了する。
【００７２】
以上の制御により、図１において、ゲイン調整信号１１０による制御は固定で、周波数調整信号１１１を変えて強調される中心周波数を変化させた時のイメージ図を、図５〜図８に示す。
【００７３】
図５は、周波数調整信号１１１＝００の時で、ｆｃ＝ｆ＝６.７５ＭＨｚの画像を示し、５０１は水平方向エッジを示す。
図６は、周波数調整信号１１１＝０１の時で、ｆｃ＝ｆ／２＝６.７５／４＝３.３７５ＭＨｚの画像を示し、６０１は水平方向エッジを示す。
図７は、周波数調整信号１１１＝１０の時で、ｆｃ＝ｆ／３＝６.７５／４＝２.２５ＭＨｚの画像を示し、７０１は水平方向エッジを示す。
図８は、周波数調整信号１１１＝１１の時で、ｆｃ＝ｆ／４＝６.７５／４＝１.６８７５ＭＨｚの画像を示し、８０１は水平方向エッジを示す。
【００７４】
図５〜図８は、ＥＶＦ２１８又は、液晶表示パネル２１９の表示画面を示すイメージ図（画像）である。図５から図８にかけて強調されるエッジの成分が、高い周波数から低い周波数に向けて変化している。結果として、被写体の水平境界部分のエッジ５０１（高強調中心周波数）が細く強調され、被写体の水平境界部分のエッジ８０１（低強調中心周波数）が太く強調されるように見える。また、それぞれの周波数ごとに強調されたエッジにおいて、操作者によるフォーカスレンズの合焦操作によりピントが合ってくると、被写体の水平境界部分のエッジのギラツキ感が強くなるので合焦点に近づいていることが、操作者に視認可能となる。
【００７５】
よって、操作者が手動でフォーカスの調節をする際に表示画面に表示される画像は、強調されるエッジの成分が高い周波数の場合には、合焦状態を細かく視認できるが、ピントが大幅にずれている場合には高周波成分を引き出してもピントを合わせづらく、強調されるエッジの成分が低い周波数の場合には、強調されるエッジの成分が高い周波数の場合ほど合焦状態を細かく視認できないが、ピントが大幅にずれていても合焦させるための操作方向がつかみやすいということになる。
【００７６】
ただ、この視認性には操作者ごとの個人差がある。そこで、本実施形態のように、画像（または映像）のエッジを強調するための周波数特性やゲインレベルが調整可能とすることにより、より操作性を高めた画像記録（処理）装置を提供することが可能となる。
【００７７】
また、このときの、図１の水平フィルタの周波数特性のイメージ図を図９に示す。
図９（Ａ）は、周波数調整信号１１１＝００の時で、ｆｃ＝ｆ＝６.７５ＭＨｚの周波数特性を示す。
図９（Ｂ）は、周波数調整信号１１１＝０１の時で、ｆｃ＝ｆ／２＝６.７５／４＝３.３７５ＭＨｚの周波数特性を示す。
図９（Ｃ）は、周波数調整信号１１１＝１０の時で、ｆｃ＝ｆ／３＝６.７５／４＝２.２５ＭＨｚの周波数特性を示す。
図９（Ｄ）は、周波数調整信号１１１＝１１の時で、ｆｃ＝ｆ／４＝６.７５／４＝１.６８７５ＭＨｚの周波数特性を示す。
【００７８】
なお、ここではＳＤ映像を考えているので、映像周波数の上限は、５から６ＭＨｚ程度以下であり、図９におけるそれ以上の帯域の周波数特性は、折り返りが出ないように、事前にプレフィルタ等で処理されているものとする。
【００７９】
一方、ここではゲイン調整信号１１０による制御は固定で、周波数調整信号１１１を変えて強調される中心周波数を変化させた時の効果の説明を行ったが、ゲイン調整信号１１０を調整することにより、逆に周波数調整信号１１１が固定であった場合でも、被写体の水平境界部分のエッジの見え方は変化する。ゲインを大きくしていくと、被写体の水平境界部分のエッジのギラツキ感は強くなる。輝度に水平フィルタをかけているので、その傾向は白黒表示にした時に、より、はっきり認識できる。
【００８０】
以上より、本実施形態の画像記録装置の一例であるデジタルビデオカメラによれば、操作者がＥＶＦや液晶表示パネル、テレビモニタなどを見ながら、フォーカスをマニュアルで合わせる際に、シンプルなＦＩＲディジタルフィルタ回路により、撮影システムや、操作者の好みに合わせて、リアルタイムに映像のエッジを強調するための周波数特性やゲインレベルが調整可能となる。
【００８１】
（第２の実施形態）
以下に、本発明の第２の実施形態による映像撮影装置及び映像編集装置について図面を参照しながら説明する。第２の実施形態で第１の実施形態と異なる点は、第１の実施形態での画像記録装置としてのデジタルビデオカメラに対して、被写体の水平境界部分のエッジに対する強調制御の制御方法についてである。
【００８２】
本実施形態では、第１の実施形態のケースに加えて、輝度に本実施形態の水平フィルタを効かせた場合には、マニュアルフォーカス操作時には、表示を白黒表示になるように設定したり、操作者により、フォーカスリングを回す量が大きい場合は、フォーカスの合わせ始めと判断して、エッジ強調する周波数を低くしたり、強調量を多く（ゲインを高く）したりして、フォーカスが合っていない時点での視認性を高くする制御を行う。また、段々フォーカスが合ってきて、フォーカスリングを回す量が減ってきた場合は、より高精度にフォーカスを合わせるために、強調する周波数を高くして、被写体の水平境界部分の強調されるエッジを細くしたり、強調量も多すぎないようにゲインを低したりするなどの制御を行う。
【００８３】
図１０、図１１、図１２に、図４におけるステップＳ４０８の中で行われる制御フロー例を示す。ステップＳ４０８の中の制御の任意の場所において、図１０〜１２中、処理端子Ａから制御が流れてきて、処理端子Ｂに抜けていくものとする。
【００８４】
図１０は、フォーカスリングの動作量（ここでの量は、絶対量でも、単位時間に移動した割合、即ち速度でも構わない）に応じて、図１の水平フィルタの中心周波数を動的に制御する例である。
【００８５】
ステップＳ１００１では、システム制御部２０９は、予め別途、設定した設定値（操作者によりメニュー設定された値）に応じてマニュアルフォーカス操作時にＥＶＦ２１８又は、液晶表示パネル２１９の表示画面をカラー表示から白黒表示に変えるかどうかを判断する。カラー表示のままであれば、ステップＳ１００３に進み、白黒表示に変える場合はステップＳ１００２へ進む。
【００８６】
予め、マニュアルフォーカスモードであるときには、ＥＶＦ２１８又は液晶表示パネル２１９に対してカラー表示とするか白黒表示とするかを選択して設定値として設定することができる。マニュアルフォーカスモードになったときには、設定値に応じて、ＥＶＦ２１８又は液晶表示パネル２１９をカラー表示又は白黒表示に切り替えることができる。
【００８７】
ステップＳ１００２では、システム制御部２０９は、ＥＶＦ２１８又は、液晶表示パネル２１９の表示画面をカラー表示から白黒表示に変える。このように白黒表示にしたときのほうが、撮像された信号に水平フィルタをかけるので、より、はっきり合焦状態を認識できる。
【００８８】
ステップＳ１００３では、システム制御部２０９は、フォーカスリングの動作量を検出し、ステップＳ１００４に進む。フォーカスリングの動作量は、マニュアルフォーカス操作によるフォーカスを合わせる動作の動作量である。
【００８９】
ステップＳ１００４では、システム制御部２０９は、フォーカスリングの動作量を任意の閾値と比較して、大きい場合にはステップＳ１００５に進み、小さい場合にはステップＳ１００６に進む。
【００９０】
ステップＳ１００５では、フォーカスリングを回す量が大きいため、フォーカスの合わせ始めと判断して、図１の水平フィルタの中心周波数を現在の中心周波数から一段低いものを選択するように制御し、一番低い場合には、そのままとする。
【００９１】
ステップＳ１００６では、フォーカスリングを回す量が小さく、より高精度にフォーカスを合わせる必要があるために、図１の水平フィルタの中心周波数を現在の中心周波数から一段高いものを選択するように制御し、一番高い場合には、そのままとする。
【００９２】
また図１１は、フォーカスリングの動作量（ここでの量は、絶対量でも、単位時間に移動した割合、即ち速度でも構わない）に応じて、図１の水平フィルタのゲインを動的に制御する例である。
【００９３】
ステップＳ１１０１では、システム制御部２０９は、予め別途、設定した設定値（操作者によって設定された値）に応じてマニュアルフォーカス操作時にＥＶＦ２１８又は、液晶表示パネル２１９の表示画面をカラー表示から白黒表示に変えるかどうかを判断する。カラー表示のままであれば、ステップＳ１１０３に進み、白黒表示に変える場合はステップＳ１１０２へ進む。
【００９４】
ステップＳ１１０２では、システム制御部２０９は、ＥＶＦ２１８又は、液晶表示パネル２１９の表示画面をカラー表示から白黒表示に変える。
【００９５】
ステップＳ１１０３では、システム制御部２０９は、フォーカスリングの動作量を検出し、ステップＳ１１０４に進む。
【００９６】
ステップＳ１１０４では、システム制御部２０９は、フォーカスリングの動作量を任意の閾値と比較して、大きい場合にはステップＳ１１０５に進み、小さい場合にはステップＳ１１０６に進む。
【００９７】
ステップＳ１１０５では、図１の水平フィルタのゲインを現在のゲインから一段低いものを選択するように制御し、一番低い場合には、そのままとする。
【００９８】
ステップＳ１１０６では、図１の水平フィルタのゲインを現在のゲインから一段高いものを選択するように制御し、一番高い場合には、そのままとする。
【００９９】
ここでは、マニュアルフォーカス時にフォーカスリングを調整した量によりダイナミックに、水平フィルタによる水平エッジの強調方法を変えたが、オートフォーカス機構（機能）のＡＦ情報（ピントの合い具合を示す情報）をマニュアルフォーカスモード時にも活用することで、上記、図１０や図１１の制御が実現可能である。具体的には、オートフォーカス機構（機能）のＡＦ情報より、フォーカスの合わせ始めでありピントが大幅にずれていると判断した場合には、エッジ強調する周波数を低くしたり、強調量を多く（ゲインを高く）したりすることにより、フォーカスが合っていない時点での視認性を高くし、オートフォーカス機構（機能）のＡＦ情報より、段々フォーカスが合ってきた状態であると判断した場合には、強調する周波数を高くして、被写体の水平境界部分の強調されるエッジを細くしたり、強調量も多すぎないようにゲインを低くしたりすることにより、実現できる。
【０１００】
上述のように、フォーカスリングの動作量が所定の閾値よりも大きい場合（フォーカスリングを回す量が大きい場合）は、フォーカスの合わせ始めと判断して、エッジ強調する周波数を低くしたり、強調量を多く（ゲインを高く）したりすることにより、フォーカスが合っていない時点での視認性を高くできる。また、フォーカスリングの動作量が所定の閾値よりも小さい場合（段々フォーカスが合ってきて、フォーカスリングを回す量が減ってきた場合）は、強調する周波数を高くして、被写体の水平境界部分の強調されるエッジを細くしたり、強調量も多すぎないようにゲインを低くしたりすることにより高精度にフォーカスを合わせることができる。
【０１０１】
図１２は、フォーカスリングの動作量（ここでの量は、絶対量でも、単位時間に移動した割合、即ち速度でも構わない）がゼロになった時、即ち操作者によりピントが合わせられてフォーカスリングが回されていない状態になった時、その止まっている時間が一定以上になったら、エッジ強調を止めて、かつ、表示も白黒表示からカラー表示に戻す制御となっている例である。
【０１０２】
ステップＳ１２０１では、システム制御部２０９は、予め別途、設定した設定値に応じてマニュアルフォーカス操作時にＥＶＦ２１８又は、液晶表示パネル２１９の表示画面をカラー表示から白黒表示に変えるかどうかを判断する。カラー表示のままであれば、ステップＳ１２０３に進み、白黒表示に変える場合はステップＳ１２０２へ進む。
【０１０３】
ステップＳ１２０２では、システム制御部２０９は、ＥＶＦ２１８又は、液晶表示パネル２１９の表示画面をカラー表示から白黒表示に変える。
【０１０４】
ステップＳ１２０３では、システム制御部２０９は、フォーカスリングの動作量を検出し、ステップＳ１２０４に進む。
【０１０５】
ステップＳ１２０４では、システム制御部２０９は、フォーカスリングの動作量がゼロの状態が、任意の閾値と比較して、長い場合にはステップＳ１２０５に進み、短い場合には処理端子“Ｂ”に進む。
【０１０６】
ステップＳ１２０５では、システム制御部２０９は、図１の水平フィルタによる水平エッジ強調制御を、水平フィルタ選択信号１１３の制御によりスルーする設定とする。すなわち、水平フィルタの機能を無効にする。
【０１０７】
ステップＳ１２０６では、システム制御部２０９は、ステップＳ１２０２で白黒表示としたＥＶＦ２１８又は、液晶表示パネル２１９の表示画面を白黒表示からカラー表示に変える。
【０１０８】
以上より、本実施形態の画像記録装置の一例であるデジタルビデオカメラによれば、ＥＶＦや液晶表示パネル、テレビモニタなどを見ながら、フォーカスをマニュアルで合わせる際に、シンプルなＦＩＲディジタルフィルタ回路により、撮影システムや、操作者の好みに合わせて、リアルタイムに映像のエッジを強調するための周波数特性やゲインレベルが調整可能となる。更に、表示色を切り替えたり、フォーカス調整の調整量や時間経過などとアシスト表示を連動させたりすることで、ビデオカメラ撮影時のマニュアルフォーカス操作において更なる利便性を生み出せる。
【０１０９】
上述のように、第１及び第２の実施形態では、ＭＦ時のＥＶＦに写る映像の視認性を上げるために輪郭信号を抽出した後に映像信号に重ねて輪郭強調をするのではなく、シンプルなＦＩＲディジタルフィルタ回路を水平映像ラインに適用し、ＥＶＦや液晶表示パネルに表示する映像信号に対して、任意の帯域の周波数特性及びゲインを調整し、エッジ強調を行う。強調する周波数とレベルを可変とすることで、エッジの（精細さが）異なる様々な被写体や、その被写体を表示している表示装置の特性（物理的な解像度や、システム的な表示可能周波数など）に応じて、操作者が任意にエッジ強調のされ方を調整できるのである。
【０１１０】
エッジ強調のレベルだけでなく、周波数特性を変える事が可能であるので、エッジ部分の強調のされ方（見え方）を可変し、システム仕様や撮影対象、操作者の好みに応じたＭＦアシスト機能の提供が実現できる。
【０１１１】
更に、ＭＦのための調整機能（例えば、フォーカスリングの動作状態、即ち、制御量の大小など）からピンボケの状態から調整している状態なのか、ピントが合ってきている状態なのかなどを判断したり、ＡＦ情報からピントの合い具合を判断したりすることにより、エッジ強調の周波数特性やゲイン特性を調整したり、更には、表示画面のカラー／白黒表示の切り替えたりといったアシスト機能の制御を実現できる。
【０１１２】
各種映像装置に応用が可能であり、特に、カメラ付きの映像記録装置において、ＥＶＦや液晶表示パネル、テレビモニタなどを見ながら、フォーカスをマニュアルで合わせる際のアシスト機能を、シンプルな回路で実現することができる。しかも、撮影システムや、操作者の好みに合わせて、リアルタイムに映像のエッジを強調するための周波数特性やゲインレベルを調整可能であり、ユーザインターフェースとしても、フォーカス調整の調整量や、時間経過などとアシスト表示を連動させることで、カメラ撮影時のマニュアルフォーカス操作において更なる利便性を生み出している。
【０１１３】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【０１１４】
【図１】本発明の一実施形態（第１の実施形態）における、ＦＩＲデジタル水平フィルタ部の回路イメージ図である。
【図２】本発明の一実施形態（第１の実施形態）における、デジタルビデオカメラのブロック図である。
【図３】本発明の一実施形態（第１の実施形態）における、デジタルビデオカメラの外観図である。
【図４】本発明の一実施形態（第１の実施形態）における、デジタルビデオカメラの制御フローチャートである。
【図５】本発明の一実施形態（第１の実施形態）における、強調される中心周波数がｆｃ＝ｆ＝６.７５ＭＨｚのときのイメージ図である。
【図６】本発明の一実施形態（第１の実施形態）における、強調される中心周波数がｆｃ＝ｆ／２＝６.７５／４＝３.３７５ＭＨｚのときのイメージ図である。
【図７】本発明の一実施形態（第１の実施形態）における、強調される中心周波数がｆｃ＝ｆ／３＝６.７５／４＝２.２５ＭＨｚのときのイメージ図である。
【図８】本発明の一実施形態（第１の実施形態）における、強調される中心周波数がｆｃ＝ｆ／４＝６.７５／４＝１.６８７５ＭＨｚのときのイメージ図である。
【図９】本発明の一実施形態（第１の実施形態）における、ＦＩＲデジタル水平フィルタの周波数特性のイメージ図である。
【図１０】本発明の一実施形態（第２の実施形態）における、デジタルビデオカメラの制御フローチャートである。
【図１１】本発明の一実施形態（第２の実施形態）における、デジタルビデオカメラの制御フローチャートである。
【図１２】本発明の一実施形態（第２の実施形態）における、デジタルビデオカメラの制御フローチャートである。
【符号の説明】
【０１１５】
１０１  入力映像信号
１０２  Ｄ−ＦＦ（フリップフロップ）
１０３〜１０９  Ｄ−ＦＦ（フリップフロップ）
１１０  ゲイン調整信号
１１１  周波数調整信号
１１２  信号セレクタ
１１３  水平フィルタ選択信号
１１４  信号セレクタ
１１５  出力映像信号
【図１】
2006345304.tif 000003
【図２】
2006345304.tif 000004
【図３】
2006345304.tif 000005
【図４】
2006345304.tif 000006
【図５】
2006345304.tif 000007
【図６】
2006345304.tif 000008
【図７】
2006345304.tif 000009
【図８】
2006345304.tif 000010
【図９】
2006345304.tif 000011
【図１０】
2006345304.tif 000012
【図１１】
2006345304.tif 000013
【図１２】
2006345304.tif 000014